【手続補正書】
【提出日】平成24年1月17日(2012.1.17)
【手続補正１】
【補正対象書類名】明細書
【補正対象項目名】０００７
【補正方法】変更
【補正の内容】
【０００７】
また、プリズムによって光路を９０度折り曲げるタイプの撮影レンズでは、プリズムの光軸と、プリズムの前後に配置されるレンズの光軸の位置合わせ精度が光学性能に大きく影響する。しかし、プリズムの前後に配置されるレンズ同士の物理的干渉避けるために、外縁部分に切り欠きが設けられた非回転対称なレンズをプリズムの前後に配置すると、これらのレンズとプリズムの相対的な位置関係は切り欠きの位置や形状によって定まり、前述のようなレンズの回転による光軸の位置合わせはできず、所望の光学性能を得ることが難しくなる。
【手続補正２】
【補正対象書類名】明細書
【補正対象項目名】００２５
【補正方法】変更
【補正の内容】
【００２５】
第２レンズ群Ｇ２は、複数のレンズで構成され、第１レンズ群Ｇ１の後方（像側）に配置されるとともに、光軸Ｌ０に沿って移動自在に設けられる。撮影レンズ１２は、この第２レンズ群Ｇ２と後述する第３レンズ群Ｇ３を光軸Ｌ０に沿って移動させ、撮影レンズ１２を構成する各レンズ群Ｇ１〜Ｇ４の間隔を調節することにより変倍を行う。例えば、撮影レンズ１２は、第２レンズ群Ｇ２が第１レンズ群Ｇ１から最も遠い位置に移動されたときに広角端となり、焦点距離は最も短くなる。また、第２レンズ群Ｇ２が第１レンズ群Ｇ１に最も近い位置に移動されたときに望遠端となり、焦点距離は最も長くなる。
【手続補正３】
【補正対象書類名】明細書
【補正対象項目名】００３０
【補正方法】変更
【補正の内容】
【００３０】
こうして負レンズ２７に切り欠き３６が設けられていることによって、第２レンズ群Ｇ２は負レンズ２７に衝突せずに、プリズム２６により近接する位置に移動することができる。このため、撮影レンズ１２は、同じ全長の撮影レンズと比較して、よりズーム比が大きく、同じズーム比のレンズと比較して、より全長が短い。
【手続補正４】
【補正対象書類名】明細書
【補正対象項目名】００３１
【補正方法】変更
【補正の内容】
【００３１】
さらに、切り欠き３６の形状は外縁に沿った円状であり、負レンズ２７に対して等方的な形状となっている。このため、負レンズ２７は第２レンズ群Ｇ２に対して切り欠き３６の位置や向きを調節して配置する必要がない。したがって、撮影レンズ１２を組み立てるときに、プリズム２６の光軸Ｌ０に負レンズ２７の光軸Ｌ０ができるだけ正確に一致するように、負レンズ２７を光軸Ｌ０のまわりに回転させることができ、撮影レンズ１２の光学性能をより良好にすることができる。
【手続補正５】
【補正対象書類名】明細書
【補正対象項目名】００３２
【補正方法】変更
【補正の内容】
【００３２】
なお、上述の実施形態では、切り欠き３６をプリズム２６の前方に隣接して配置された負レンズ２７の外縁部分に設ける例を説明したが、切り欠き３６は、プリズム２６の後方に隣接して配置するレンズの外縁部分に設けても良く、プリズム２６の前方に隣接して配置されるレンズとプリズム２６の後方に隣接して配置されるレンズの双方に設けても良い。
【手続補正６】
【補正対象書類名】明細書
【補正対象項目名】００３６
【補正方法】変更
【補正の内容】
【００３６】
例えば、図５に示すように、撮影レンズ５１は、上述の実施形態の撮影レンズ１２と同様に第１〜第４レンズ群Ｇ１〜Ｇ４から構成され、最も被写体側に配置され、デジタルカメラ１１の前面に露呈される負レンズ５２の外形が撮影レンズ１２と異なる。前述のように、デジタルカメラ１１の撮影画面は、Ｈ方向に長く、Ｖ方向に短い。このため、負レンズ５２は、撮影画面５３に相当する長方形の長辺方向に沿って、撮影画面５３の光束が通過しない余剰部分５４ａ，５４ｂを切除し、小判型に形成される。同時に、負レンズ５２のプリズム２６側に、外縁に沿った円状の切り欠き５６が設けられる。この切り欠き５６は、余剰部分５４ａ，５４ｂの切除により、これに対応する部分が欠けている点を除けば、上述の実施形態の切り欠き３６と同様にして設けられるものである。
【手続補正７】
【補正対象書類名】明細書
【補正対象項目名】００３７
【補正方法】変更
【補正の内容】
【００３７】
このように、負レンズ５２の外形を小判型に形成すると、Ｖ方向に撮影レンズ５１の厚みが抑えられるが、撮影レンズ５１はＨ方向には小型化されない。しかし、負レンズ５２には、プリズム２６側の外縁部分に切り欠き５６が設けられていることによって、上述の実施形態の撮影レンズ１２と同様に、第２レンズ群Ｇ２をプリズム２６により近接した位置に移動させることができる。これにより、同じズーム比の撮影レンズと比較して、撮影レンズ５１は全長を短くすることができ、Ｈ方向に小型化される。同時に、切り欠き５６が外縁に沿った円状であることによって、切り欠き５６の形状によって制限されること無く、できるだけプリズム２６の光軸Ｌ０と負レンズ５２の光軸Ｌ０を一致させるように光軸Ｌ０周りに回転して負レンズ５２を配置することができる。このため、撮影レンズ５１の光学性能はより良好になる。
【手続補正８】
【補正対象書類名】明細書
【補正対象項目名】００４０
【補正方法】変更
【補正の内容】
【００４０】
また、前述のように、撮影レンズ１２を構成するレンズを小判型に形成する場合にも撮影レンズ１２を縦長の姿勢で配置しても良い。但し、このようにレンズの余剰部分を切除して、非回転対称な形状とするときには、撮影レンズ１２を縦長の姿勢に配置する場合よりも、撮影レンズ１２を横長の姿勢に配置する場合の方が、プリズム２６の前後に隣接して配置されるレンズの外縁部分に切り欠きを設けることによって、より全長を短く、ズーム比を大きくすることができる。例えば、撮影レンズ１２で、負レンズ２７のＶ方向の箇所を切除して小判型に形成するときに、撮影レンズ１２を縦長の姿勢に配置すると、プリズム２６後方のレンズの端は負レンズ２７のＶ方向の箇所（切除された部分）に近接するが、撮影レンズ１２を横長の姿勢に配置すると、プリズム２６後方のレンズの端は負レンズ２７のＨ方向の箇所（切除されていない部分）に近接する。このため、撮影レンズ１２を横長の姿勢に配置するときには、負レンズ２７または第２レンズ群Ｇ２のレンズ４２に切り欠きを設けることによって、第２レンズ群Ｇ２をプリズム２６に近接させることができるようになる距離は大きい。
【手続補正９】
【補正対象書類名】明細書
【補正対象項目名】００４２
【補正方法】変更
【補正の内容】
【００４２】
なお、上述の実施形態では、撮影レンズ１２が第１〜第４レンズ群Ｇ１〜Ｇ４から構成される例を説明したが、３以下のレンズ群によって撮影レンズを構成しても良く、５以上のレンズ群によって撮影レンズを構成しても良い。また、撮影レンズ１２を上述の実施形態のように４群構成にする場合にも、各レンズ群の構成は任意に定めることができる。例えば、上述の実施形態では、プリズム２６の前方に負レンズ２７が１枚のみ配置される例を説明したが、これに限らず、プリズム２６の前方に正負任意の屈折力のレンズを複数配置しても良い。
【手続補正１０】
【補正対象書類名】明細書
【補正対象項目名】００５３
【補正方法】変更
【補正の内容】
【００５３】
第３レンズ群Ｇ３は、被写体側から順に絞りＬ３１，正の屈折力を有するレンズＬ３２，負の屈折力を有するレンズＬ３３の３つの要素から構成され、第３レンズ群Ｇ３全体としての屈折力は負である。また、第３レンズ群Ｇ３は、光軸Ｌ０に沿って移動自在に設けられた移動レンズ群であり、広角端では最も像側の位置に移動され、望遠端で最もプリズムＬ１２側の位置に移動される。このように移動されることにより、第３レンズ群Ｇ３は、第２レンズ群Ｇ２とともに撮影レンズ１１０の変倍を担う。
【手続補正１１】
【補正対象書類名】明細書
【補正対象項目名】００６１
【補正方法】変更
【補正の内容】
【００６１】
第２レンズ群Ｇ２は、レンズＬ１３の後方に配置され、被写体側から順に配置されたレンズＬ２１，Ｌ２２の２つのレンズからなる。これらのレンズＬ２１，Ｌ２２の屈折力はどちらも正である。このため、第２レンズ群Ｇ２全体としての屈折力は正である。また、第２レンズ群Ｇ２は、光軸Ｌ０に沿って移動自在に設けられた移動レンズ群であり、広角端では最も像側の位置に移動され、望遠端ではレンズＬ１３に最も近接する位置に移動される。
【手続補正１２】
【補正対象書類名】明細書
【補正対象項目名】００７７
【補正方法】変更
【補正の内容】
【００７７】
第２レンズ群Ｇ２は、レンズＬ１４の後方に配置され、被写体側から順に、負の屈折力を有するレンズＬ１５と、負の屈折力を有するレンズＬ１６と正の屈折力を有するレンズＬ１７を面Ｓ１２で接合した接合レンズとからなる。第２レンズ群Ｇ２全体としての屈折力は負である。また、第２レンズ群Ｇ２は、光軸Ｌ０に沿って移動自在に設けられた移動レンズ群であり、広角端では最も被写体側の位置に移動され、望遠端では最も像側の位置に移動される。